(57)【要約】【課題】フルオープンやオーバーフローが発生したラウンド或いは大当りをより適切に検出し得る遊技情報管理装置を提供する。【解決手段】セーフ信号と大当り信号に基づいてＴ１セーフを特定すると共に経過期間を計時してＲセーフを特定し、Ｒセーフと設定基準情報とを比較することで第１終了条件が成立した旨を推定する一方、第１終了条件の成立が推定されることなく経過期間が設定上限期間に達した場合に第２終了条件が成立した旨を推定し、第１及び第２終了条件のいずれかが成立した旨を推定した場合、経過期間を新たなラウンドに対応すべく再計時すると共にＲセーフを新たなラウンドに対応すべく初期値へと戻し、大当り中に第２終了条件が成立した旨が推定されたか否かにより、当該大当り及び当該大当りにおけるラウンドの少なくとも一方である大当り情報を区分して出力する。【選択図】図１
2014226203.tif 000002
【特許請求の範囲】
【請求項１】
遊技価値を消費する遊技を行うことで、遊技盤面上に配置される大入賞口を開放状態とする単位遊技であるラウンドにより構成される大当りを発生可能であり、前記大入賞口への入賞数が上限入賞数に達することで成立する第１終了条件、及び前記大入賞口の開放期間が上限開放期間に達することで成立する第２終了条件のいずれかが成立することで前記ラウンドが終了する遊技機の遊技情報を管理対象とした遊技情報管理装置であって、
遊技における入賞に応じて遊技者に付与される遊技価値を示すセーフを特定可能なセーフ信号と、大当り中であることを示す大当り期間を特定可能な大当り信号とを遊技機側から出力される遊技信号として入力し、大当り中の前記セーフであるＴ１セーフを特定する遊技情報特定手段と、
大当り中における経過期間を計時する期間計時手段と、
前記経過期間に対応して特定された前記Ｔ１セーフであるＲセーフを特定するＲセーフ特定手段と、
前記Ｒセーフと、前記上限入賞数分の入賞に応じた前記セーフに対応した予め設定される設定基準情報とを比較することで、前記第１終了条件が成立した旨を推定する第１終了推定手段と、
前記第１終了条件の成立が推定されることなく前記経過期間が前記上限開放期間に対応して予め設定される設定上限期間に達した場合に、前記第２終了条件が成立した旨を推定する第２終了推定手段と、
前記第１終了条件、及び前記第２終了条件の内、いずれかが成立した旨を推定された場合に、前記経過期間を新たなラウンドに対応すべく再計時させる再計時処理を行うと共に、前記Ｒセーフを新たなラウンドに対応したＲセーフとすべく初期値へと戻す再集計処理を行う再集計処理手段と、
大当り中に前記第２終了条件が成立した旨が推定されたか否かにより、当該大当り、及び当該大当りにおけるラウンドの内、少なくとも一方である大当り情報を区分する大当り情報区分手段と、
前記大当り情報区分手段による区分結果を出力する出力手段と、
を備えたことを特徴とする遊技情報管理装置。
【請求項２】
前記大当り情報区分手段は、前記第１終了条件が成立した旨を推定された場合に、前記再計時処理を、予め設定される設定遅延期間、遅延させる遅延処理中に前記Ｔ１セーフが特定されたか否か、及び前記Ｒセーフが前記設定基準情報を超過したか否かの少なくとも一方により前記大当り情報を区分することを特徴とする請求項１記載の遊技情報管理装置。
【請求項３】
前記遊技情報特定手段は、前記経過期間の特定により前記ラウンドが生じたことを特定すると共に当該特定したラウンド数である全ラウンド数を特定すること、及び大当り期間を特定した全ての大当り回数である全大当り数を特定することの内、少なくとも一方を特定し、
前記大当り情報区分手段は、前記遊技情報特定手段により特定された大当りを、前記第２終了条件が成立した旨を推定された前記ラウンドであるＦＯラウンドが含まれるＦＯ大当りと、通常ラウンドとに区分すること、及び前記遊技情報特定手段により特定されたラウンドを、前記ＦＯラウンドと、通常ラウンドとに区分することの内、少なくとも一方により前記大当り情報を区分し、
前記出力手段は、前記全大当り数、又は前記通常大当りの発生数と前記ＦＯ大当りの発生数との割合を示すＦＯ率情報、前記全ラウンド数、又は前記通常ラウンドの発生数と前記ＦＯラウンドの発生数との割合を示すＦＯＲ率情報、前記ＦＯ大当りの発生数を示すＦＯ大当り情報、及び前記ＦＯラウンドの発生数を示すＦＯＲ情報の内、少なくとも１つを前記区分結果として出力することを特徴とする請求項１または２記載の遊技情報管理装置。
【請求項４】
遊技価値を消費する遊技を行うことで、遊技盤面上に配置される大入賞口を開放状態とする単位遊技であるラウンドにより構成される大当りを発生可能であり、前記大入賞口への入賞数が上限入賞数に達することで成立する第１終了条件、及び前記大入賞口の開放期間が上限開放期間に達することで成立する第２終了条件のいずれかが成立することで前記ラウンドが終了する遊技機の遊技情報を管理対象とした遊技情報管理装置であって、
遊技における入賞に応じて遊技者に付与される遊技価値を示すセーフを特定可能なセーフ信号と、大当り中であることを示す大当り期間を特定可能な大当り信号とを遊技機側から出力される遊技信号として入力し、大当り中の前記セーフであるＴ１セーフを特定する遊技情報特定手段と、
大当り中における経過期間を計時する期間計時手段と、
前記経過期間に対応して特定された前記Ｔ１セーフであるＲセーフを特定するＲセーフ特定手段と、
前記Ｒセーフと、前記上限入賞数分の入賞に応じた前記セーフに対応した予め設定される設定基準情報とを比較することで、前記第１終了条件が成立した旨を推定する第１終了推定手段と、
前記第１終了条件の成立が推定されることなく前記経過期間が前記上限開放期間に対応して予め設定される設定上限期間に達した場合に、前記第２終了条件が成立した旨を推定する第２終了推定手段と、
前記第１終了条件、及び前記第２終了条件の内、いずれかが成立した旨を推定された場合に、前記経過期間を新たなラウンドに対応すべく再計時させる再計時処理を行うと共に、前記Ｒセーフを新たなラウンドに対応したＲセーフとすべく初期値へと戻す再集計処理を行う再集計処理手段と、
前記第１終了条件が成立した旨を推定された場合に、前記再計時処理を予め設定される設定遅延期間、遅延させる遅延処理中に前記Ｔ１セーフが特定されたか否か、及び前記Ｒセーフが前記設定基準情報を超過したか否かの少なくとも一方により、当該対応する大当り、及び当該大当りにおけるラウンドの内、少なくとも一方である大当り情報を区分する大当り情報区分手段と、
前記大当り情報区分手段による区分結果を出力する出力手段と、
を備えたことを特徴とする遊技情報管理装置。
【請求項５】
前記遊技情報特定手段は、前記経過期間の特定により前記ラウンドが生じたことを特定すると共に当該特定したラウンド数である全ラウンド数を特定すること、及び大当り期間を特定した全ての大当り回数である全大当り数を特定することの内、少なくとも一方を特定し、
前記大当り情報区分手段は、前記遊技情報特定手段により特定された大当りを、前記大入賞口への入賞数が上限入賞数を超過した前記ラウンドであるＯＦラウンドが含まれるＯＦ大当りと、通常大当りとに区分すること、及び前記遊技情報特定手段により特定された前記ラウンドを、前記ＯＦラウンドと、前記通常ラウンドとに区分することの内、少なくとも一方により前記大当り情報を区分し、
前記出力手段は、前記全大当り数、又は前記通常大当りの発生数と前記ＯＦ大当りの発生数との割合を示すＯＦ率情報、前記全ラウンド数、又は前記通常ラウンドの発生数と前記ＯＦラウンドの発生数との割合を示すＯＦＲ率情報、前記ＯＦ大当りの発生数を示すＯＦ大当り情報、及び前記ＯＦラウンドの発生数を示すＦＯＲ情報のうち、少なくとも１つを前記区分結果として出力することを特徴とする請求項４記載の遊技情報管理装置。
【請求項６】
前記セーフ信号は、遊技価値が付与される以前であっても入賞が特定されることで出力されると共に、１ではない予め設定される単位付与価値分の付与に対応して出力される遊技信号であり、
前記遊技情報特定手段は、前記大入賞口への入賞数である大入賞数と前記Ｒセーフとの対応関係を示す予め設定される設定基準入賞情報と前記Ｒセーフとを比較することで、前記Ｒセーフに対応した前記大入賞数を特定し、
前記出力手段は、前記遊技情報特定手段により特定された前記大入賞数を出力することを特徴とする請求項１から５のいずれか一項記載の遊技情報管理装置。
【請求項７】
前記セーフ信号は、遊技価値が付与される以前であっても入賞が特定されることで出力されると共に、１ではない予め設定される単位付与価値分の付与に対応して出力される遊技信号であり、
前記第１終了推定手段による前記設定基準情報と前記Ｒセーフとが対応している旨が特定出来る場合に、当該Ｒセーフを特定した前記セーフ信号と、当該セーフ信号の直前に入力したセーフ信号との入力間隔が、当該入力間隔の基準入力間隔に対応して予め設定される連続出力条件を満たしているか否かにより、前記第１終了条件が成立したか否かを推定する処理、及び前記遊技情報特定手段による前記大入賞口への入賞数である大入賞数と前記Ｒセーフとの対応関係を示す予め設定される設定基準入賞情報と前記Ｒセーフとを比較し、対応する大入賞数が複数ある場合に、当該Ｒセーフを特定した前記セーフ信号と、当該セーフ信号の直前に入力したセーフ信号との入力間隔が前記連続出力条件を満たしているか否かによりいずれの大入賞数が対応しているかを特定する処理の内、少なくとも一方を行うことを特徴とする請求項１から６のいずれか一項記載の遊技情報管理装置。
【請求項８】
前記遊技情報特定手段は、前記再計時処理が行われてから、前記セーフ信号、及び遊技により消費された遊技価値であるアウトを特定可能なアウト信号の内、少なくとも一方を入力した場合に新たなラウンドとなった旨を特定し、
前記出力手段は、前記遊技情報特定手段による特定結果を出力することを特徴とする請求項１から７のいずれか一項記載の遊技情報管理装置。
【発明の詳細な説明】
【技術分野】
【０００１】
本発明は、遊技機の遊技情報を管理する遊技情報管理装置に関する。
【背景技術】
【０００２】
従来、遊技情報管理装置では、パチンコ遊技機等の遊技機の調整が上手くいっているかを判断するために大当り中の払出玉数や出玉数と、設定値とを比較して所謂パンクが発生していないかを管理しており、例えば特許文献１では、比較対象となる設定値を過去の大当り中の出玉数とすることが提案されている。この場合、遊技機からラウンド状態を直接的に特定可能なラウンド信号が出力されないため、上述した間接的な特定を行う必要がある。
さて、パンクといっても２種類のパンクが主として議論されており、大入賞口の開放に対応した遊技単位であるラウンドを最大ラウンドまで消化することが出来ずに途中で大当りが終了してしまう特許文献１に記載されているような大当りパンクと、ラウンド中の大入賞口への入賞数が上限入賞数まで達することなく上限開放期間に達することで次のラウンドへと進むラウンドパンク（フルオープンとも呼ばれる）とがある。近年の遊技機は関連する法規等の改正もあり大当りパンクを発生させない遊技機が多数を占めるため、遊技場管理者の関心は、専ら後者のフルオープンに向けられている。
【先行技術文献】
【特許文献】
【０００３】
【特許文献１】特開平７−１１６３２９号公報
【発明の概要】
【発明が解決しようとする課題】
【０００４】
さて、特許文献１のように大当り中の払出玉数と設定値とを比較する構成とすればフルオープンした大当りを特定出来るとも考えられる。
しかしながら、フルオープンしたラウンド（つまり、設定値よりも払出玉数が少なくなるラウンド）と、上限入賞数に達することで大入賞口が閉鎖する際、更に大入賞口に入賞することで上限入賞数以上の入賞が発生する所謂オーバーフロー（ＯＦ）が発生したラウンド（つまり、設定値よりも払出玉数が多くなるラウンド）とで払出玉数が相殺される場合があり、このオーバーフローが発生すると、大当り中の払出玉数からではフルオープンしたラウンドやフルオープンがあった大当りを検出出来ない虞があった。
また、オーバーフローは言わば規定以上の入賞であり遊技者にとって喜ばしいものであるが、上記した相殺を考慮するとオーバーフローが発生していたか否かを払出持玉から特定することには不正確性が存在し、オーバーフローを遊技者に積極的に報知することで遊技者の満足度を高めるようなことも難しかった。
本発明は上記事情に鑑みてなされたもので、その目的は、フルオープンやオーバーフローが発生したラウンド或いは大当りを、より適切に検出し得る遊技情報管理装置を提供することにある。
【課題を解決するための手段】
【０００５】
請求項１に記載した発明は、遊技価値を消費する遊技を行うことで、遊技盤面上に配置される大入賞口を開放状態とする単位遊技であるラウンドにより構成される大当りを発生可能であり、前記大入賞口への入賞数が上限入賞数に達することで成立する第１終了条件、及び前記大入賞口の開放期間が上限開放期間に達することで成立する第２終了条件のいずれかが成立することで前記ラウンドが終了する遊技機の遊技情報を管理対象とした遊技情報管理装置であって、遊技における入賞に応じて遊技者に付与される遊技価値を示すセーフを特定可能なセーフ信号と、大当り中であることを示す大当り期間を特定可能な大当り信号とを遊技機側から出力される遊技信号として入力し、大当り中の前記セーフであるＴ１セーフを特定する遊技情報特定手段と、大当り中における経過期間を計時する期間計時手段と、前記経過期間に対応して特定された前記Ｔ１セーフであるＲセーフを特定するＲセーフ特定手段と、前記Ｒセーフと、前記上限入賞数分の入賞に応じた前記セーフに対応した予め設定される設定基準情報とを比較することで、前記第１終了条件が成立した旨を推定する第１終了推定手段と、前記第１終了条件の成立が推定されることなく前記経過期間が前記上限開放期間に対応して予め設定される設定上限期間に達した場合に、前記第２終了条件が成立した旨を推定する第２終了推定手段と、前記第１終了条件、及び前記第２終了条件の内、いずれかが成立した旨を推定された場合に、前記経過期間を新たなラウンドに対応すべく再計時させる再計時処理を行うと共に、前記Ｒセーフを新たなラウンドに対応したＲセーフとすべく初期値へと戻す再集計処理を行う再集計処理手段と、大当り中に前記第２終了条件が成立した旨が推定されたか否かにより、当該大当り、及び当該大当りにおけるラウンドの内、少なくとも一方である大当り情報を区分する大当り情報区分手段と、前記大当り情報区分手段による区分結果を出力する出力手段と、を備えたことを特徴とする。
【０００６】
請求項２に記載した発明は、前記大当り情報区分手段は、前記第１終了条件が成立した旨を推定された場合に、前記再計時処理を、予め設定される設定遅延期間、遅延させる遅延処理中に前記Ｔ１セーフが特定されたか否か、及び前記Ｒセーフが前記設定基準情報を超過したか否かの少なくとも一方により前記大当り情報を区分することを特徴とする。
【０００７】
請求項３に記載した発明は、前記遊技情報特定手段は、前記経過期間の特定により前記ラウンドが生じたことを特定すると共に当該特定したラウンド数である全ラウンド数を特定すること、及び大当り期間を特定した全ての大当り回数である全大当り数を特定することの内、少なくとも一方を特定し、前記大当り情報区分手段は、前記遊技情報特定手段により特定された大当りを、前記第２終了条件が成立した旨を推定された前記ラウンドであるＦＯラウンドが含まれるＦＯ大当りと、通常ラウンドとに区分すること、及び前記遊技情報特定手段により特定されたラウンドを、前記ＦＯラウンドと、通常ラウンドとに区分することの内、少なくとも一方により前記大当り情報を区分し、前記出力手段は、前記全大当り数、又は前記通常大当りの発生数と前記ＦＯ大当りの発生数との割合を示すＦＯ率情報、前記全ラウンド数、又は前記通常ラウンドの発生数と前記ＦＯラウンドの発生数との割合を示すＦＯＲ率情報、前記ＦＯ大当りの発生数を示すＦＯ大当り情報、及び前記ＦＯラウンドの発生数を示すＦＯＲ情報の内、少なくとも１つを前記区分結果として出力することを特徴とする。
【０００８】
請求項４に記載した発明は、遊技価値を消費する遊技を行うことで、遊技盤面上に配置される大入賞口を開放状態とする単位遊技であるラウンドにより構成される大当りを発生可能であり、前記大入賞口への入賞数が上限入賞数に達することで成立する第１終了条件、及び前記大入賞口の開放期間が上限開放期間に達することで成立する第２終了条件のいずれかが成立することで前記ラウンドが終了する遊技機の遊技情報を管理対象とした遊技情報管理装置であって、遊技における入賞に応じて遊技者に付与される遊技価値を示すセーフを特定可能なセーフ信号と、大当り中であることを示す大当り期間を特定可能な大当り信号とを遊技機側から出力される遊技信号として入力し、大当り中の前記セーフであるＴ１セーフを特定する遊技情報特定手段と、大当り中における経過期間を計時する期間計時手段と、前記経過期間に対応して特定された前記Ｔ１セーフであるＲセーフを特定するＲセーフ特定手段と、前記Ｒセーフと、前記上限入賞数分の入賞に応じた前記セーフに対応した予め設定される設定基準情報とを比較することで、前記第１終了条件が成立した旨を推定する第１終了推定手段と、前記第１終了条件の成立が推定されることなく前記経過期間が前記上限開放期間に対応して予め設定される設定上限期間に達した場合に、前記第２終了条件が成立した旨を推定する第２終了推定手段と、前記第１終了条件、及び前記第２終了条件の内、いずれかが成立した旨を推定された場合に、前記経過期間を新たなラウンドに対応すべく再計時させる再計時処理を行うと共に、前記Ｒセーフを新たなラウンドに対応したＲセーフとすべく初期値へと戻す再集計処理を行う再集計処理手段と、前記第１終了条件が成立した旨を推定された場合に、前記再計時処理を予め設定される設定遅延期間、遅延させる遅延処理中に前記Ｔ１セーフが特定されたか否か、及び前記Ｒセーフが前記設定基準情報を超過したか否かの少なくとも一方により、当該対応する大当り、及び当該大当りにおけるラウンドの内、少なくとも一方である大当り情報を区分する大当り情報区分手段と、前記大当り情報区分手段による区分結果を出力する出力手段と、を備えたことを特徴とする。
【０００９】
請求項５に記載した発明は、前記遊技情報特定手段は、前記経過期間の特定により前記ラウンドが生じたことを特定すると共に当該特定したラウンド数である全ラウンド数を特定すること、及び大当り期間を特定した全ての大当り回数である全大当り数を特定することの内、少なくとも一方を特定し、前記大当り情報区分手段は、前記遊技情報特定手段により特定された大当りを、前記大入賞口への入賞数が上限入賞数を超過した前記ラウンドであるＯＦラウンドが含まれるＯＦ大当りと、通常大当りとに区分すること、及び前記遊技情報特定手段により特定された前記ラウンドを、前記ＯＦラウンドと、前記通常ラウンドとに区分することの内、少なくとも一方により前記大当り情報を区分し、前記出力手段は、前記全大当り数、又は前記通常大当りの発生数と前記ＯＦ大当りの発生数との割合を示すＯＦ率情報、前記全ラウンド数、又は前記通常ラウンドの発生数と前記ＯＦラウンドの発生数との割合を示すＯＦＲ率情報、前記ＯＦ大当りの発生数を示すＯＦ大当り情報、及び前記ＯＦラウンドの発生数を示すＦＯＲ情報のうち、少なくとも１つを前記区分結果として出力することを特徴とする。
【００１０】
請求項６に記載した発明は、前記セーフ信号は、遊技価値が付与される以前であっても入賞が特定されることで出力されると共に、１ではない予め設定される単位付与価値分の付与に対応して出力される遊技信号であり、前記遊技情報特定手段は、前記大入賞口への入賞数である大入賞数と前記Ｒセーフとの対応関係を示す予め設定される設定基準入賞情報と前記Ｒセーフとを比較することで、前記Ｒセーフに対応した前記大入賞数を特定し、
前記出力手段は、前記遊技情報特定手段により特定された前記大入賞数を出力することを特徴とする。
【００１１】
請求項７に記載した発明は、前記セーフ信号は、遊技価値が付与される以前であっても入賞が特定されることで出力されると共に、１ではない予め設定される単位付与価値分の付与に対応して出力される遊技信号であり、前記第１終了推定手段による前記設定基準情報と前記Ｒセーフとが対応している旨が特定出来る場合に、当該Ｒセーフを特定した前記セーフ信号と、当該セーフ信号の直前に入力したセーフ信号との入力間隔が、当該入力間隔の基準入力間隔に対応して予め設定される連続出力条件を満たしているか否かにより、前記第１終了条件が成立したか否かを推定する処理、及び前記遊技情報特定手段による前記大入賞口への入賞数である大入賞数と前記Ｒセーフとの対応関係を示す予め設定される設定基準入賞情報と前記Ｒセーフとを比較し、対応する大入賞数が複数ある場合に、当該Ｒセーフを特定した前記セーフ信号と、当該セーフ信号の直前に入力したセーフ信号との入力間隔が前記連続出力条件を満たしているか否かによりいずれの大入賞数が対応しているかを特定する処理の内、少なくとも一方を行うことを特徴とする。
【００１２】
請求項８に記載した発明は、前記遊技情報特定手段は、前記再計時処理が行われてから、前記セーフ信号、及び遊技により消費された遊技価値であるアウトを特定可能なアウト信号の内、少なくとも一方を入力した場合に新たなラウンドとなった旨を特定し、前記出力手段は、前記遊技情報特定手段による特定結果を出力することを特徴とする。
【発明の効果】
【００１３】
請求項１に記載した発明によれば、大当り中に第１終了条件が成立したか（つまり、ラウンドの上限入賞分のセーフがあったか）、又は第２終了条件が成立したか（つまり、上限開放時間に達したか）を推定し、いずれかの推定がなされると経過期間を再計時すると共にＲセーフを初期化し、第２終了条件が成立した旨が推定されたか否かにより大当り及び大当りにおけるラウンドの内、少なくとも一方である大当り情報を区分して出力する。これにより、第２終了条件が成立した旨が推定された場合にはフルオープンが発生したと特定出来るため、たとえ遊技機側からラウンド信号が出力されず、更にオーバーフローが発生してＴ１セーフ（大当り中の払出玉数）が相殺されるような状況であったとしても、遊技機以外の装置である遊技情報管理装置にてフルオープンを検出することが出来、オーバーフローの管理精度を高めることが可能となる。
【００１４】
請求項２に記載した発明によれば、遅延処理中にＴ１セーフが特定されたか否か、及びＲセーフが設定基準情報を超過したか否かの少なくとも一方により大当り情報を区分するので、大当り中のラウンドの種別を判別出来る。即ち、第１終了条件が成立した場合には大入賞口は閉鎖するので、遅延処理中にＲセーフが特定されることや、Ｒセーフが設定基準情報を超過した場合にはオーバーフロー（ＯＦ（Over Flow））が発生したと考えることが出来る。このようにオーバーフローの発生を検出（推定）出来ることから、オーバーフローの管理精度を高めることが可能となる。
また、ラウンド間には所謂ラウンドインターバルと呼ばれる大入賞口を閉鎖状態とする閉鎖期間があり、この閉鎖期間は次のラウンドの上限開放期間に含まれないと共に上限入賞数の判定対象ともならないが、遅延処理を実行可能な構成とすることで、ラウンドインターバルの存在を考慮した上で、設定上限情報や設定基準情報を設定可能となる。
【００１５】
請求項３に記載した発明によれば、通常大当りとＦＯ大当りとを区分すること、及び通常ラウンドとＦＯラウンドとを区分することの内、少なくとも一方により大当り情報を区分し、全大当り数又は通常大当りの発生数とＦＯ大当りの発生数との割合を示すＦＯ率情報、ラウンド数又は通常ラウンドの発生数とＦＯラウンドの発生数との割合を示すＦＯＲ率情報、ＦＯ大当りの発生数を示すＦＯ大当り情報、及びＦＯラウンドの発生数をを示すＦＯＲ情報の内、少なくとも１つを区分結果として出力するので、より一層、遊技情報の管理精度を高めることが出来る。
【００１６】
請求項４に記載した発明によれば、請求項２に記載した発明と同様に大当り中のラウンドの種別を判別出来ることから、遊技情報の管理精度を高めることが出来る。また、Ｒセーフが設定基準情報を超過するオーバーフローは遊技者にとっても関心の高い遊技情報となり得るので、その遊技情報をラウンド信号が出力されずとも遊技機以外の装置である情報管理装置にて特定及び出力（例えば、遊技者に対して報知）可能とすることで、遊技者の興趣を一層引き立てることも可能となる。
【００１７】
請求項５に記載した発明によれば、全大当り数、又は通常大当りの発生数とＯＦ大当りの発生数との割合を示すＯＦ率情報、全ラウンド数、又は通常ラウンドの発生数とＯＦラウンドの発生数との割合を示すＯＦＲ率情報、ＯＦ大当りの発生数を示すＯＦ大当り情報、及びＯＦラウンドの発生数を示すＦＯＲ情報のうち、少なくとも１つを区分け結果として出力するので、つまり、オーバーフローに関する遊技情報を出力するので、ＯＦ大当りやＯＦラウンドがどの程度発生しているかを把握可能となり、より遊技情報の管理精度を高めることが出来る。
【００１８】
請求項６に記載した発明によれば、大入賞口への入賞数である大入賞数とＲセーフとの対応関係を示す予め設定される設定基準入賞情報とＲセーフとを比較することで、Ｒセーフに対応した大入賞数を特定して出力する。
セーフ信号は、例えば１０個の払出玉に対して１パルス出力される等、１ではない予め設定される単位付与価値分の付与に対応して出力される。この場合、例えば大入賞口への入賞に伴う付与価値（大入賞口賞球）が１５個で、実際の大入賞口への入賞数（大入賞数）が９個であった場合には１３５個が出力対象となるが、ラウンド開始時に存在している未出力分の端数（１パルス分に満たない払出玉の残数）が５個以上であればセーフ信号は１４パルス出力される一方、端数が５未満であればセーフ信号は１３パルスしか出力されないことになる。即ち、前者（端数が５個以上）であればＲセーフは１４０（＝１４×１０）で、これを大入賞口賞球で除した値が９．３（＝１４０÷１５）となり、小数点以下を繰り上げた値（１０個）が大入賞数となるので、実際の大入賞数（９個）と異なる可能性がある。一方、後者（端数が５個未満）であれば、Ｒセーフは１３０（＝１３×１０）となり、これを大入賞口賞球で除した値が８．６（＝１３０÷１５）となり、小数点以下を繰り上げた値（９個）が大入賞数となり、実際の大入賞数（９個）と一致する。このように、Ｒセーフを一概に大入賞口賞球にて除するだけでは誤差が生じ得るが、設定基準入賞情報により予めそのパターンを設定することでＲセーフに対応した大入賞数を特定することにより、そのような誤差を極力排除可能となる。また、セーフ信号として遊技価値の付与以前に出力されるセーフ信号を採用することで、仮に払出が滞っていても、より正確にＴ１セーフを特定し得るようになる。
【００１９】
請求項７に記載した発明によれば、セーフ信号の入力間隔が連続出力条件を満たしているか否かにより、第１終了条件が成立したか否かを推定する処理、及びＲセーフに対応する大入賞数が複数ある場合にセーフ信号の入力間隔が連続出力条件を満たしているか否かによりいずれの大入賞数が対応しているかを特定する処理の内、少なくとも一方を行う。
セーフ信号が例えば１０個に対して１パルス出力される場合、例えば大入賞口賞球が１４個で１２パルスのセーフ信号が出力されたとすると、未出力分の端数が８〜９であったとすれば大入賞数が８個になった時点で１２パルス目が出力されたことになるが、未出力分の端数が０〜３であったとすれば大入賞数が９個になった時点で１２パルス目が出力されたことになる。
【００２０】
このとき、前者（端数が８〜９）であれば、最後の大入賞によりセーフ信号が連続的に２パルス出力されることになる。つまり、８個目の大入賞が発生する際、払出玉数の総計が１０６個（８＋１４×７）→１２０個（＝８＋１４×８）となるため、１１０個目に対応するセーフ信号が出力された後、１２０個目に対応するセーフ信号が連続的に出力されることになる。一方、後者（端数が０〜３）であれば、９個目の大入賞が発生する際、払出玉数の総計が１１２個（＝０＋１４×８）→１２６個（０＋１４×９＝１２６）となるため、セーフ信号は１２０個目に対応する１パルスだけが出力されることになる。このため、セーフ信号が連続出力条件を満たしているか否かにより、端数の推測が可能となり、第１終了条件の成立、或いは大入賞数をより正確に特定し得るようになる。
また、セーフ信号として遊技価値の付与以前に出力されるセーフ信号を採用することで、仮に払出が滞っていても（大当り期間の終了後に実際の払出（遊技価値の付与）が行われるような状況等であっても）、より正確にＴ１セーフを特定し得るようになる。
【００２１】
請求項８に記載した発明によれば、再計時処理行われてからセーフ信号及びアウト信号の内少なくとも一方を入力した場合に新たなラウンドとなった旨を特定し、その特定結果を出力する。従来のようなＴ１セーフに基づいてラウンドを特定する場合、大当り期間全体を対象としているので、ラウンドを正確に特定することが出来ず、誤判定が多かった。これに対して、再計時処理等の後にセーフ信号或いはアウト信号の入力に基づいて新たなラウンドを特定することで、ラウンド数の特定やラウンド数に応じた大当りの種類の特定等をより正確に行い得る。
この場合、単に再計時処理が行われたことに基づいて新たなラウンドを判定してしまうと、大当り信号の入力が終了する前に再計時処理が行われる可能性があることから誤判定する虞があるが、セーフ信号或いはアウト信号の入力を条件に加えることで、そのような虞を低減することが出来る。
【図面の簡単な説明】
【００２２】
【図１】本発明の第１実施形態による遊技情報管理装置を適用した遊技場用システムの構成を概略的に示す図
【図２】大当り中における遊技信号等の状況を模式的に示すタイミングチャート
【図３】遊技機に対する設定情報の一例を示す図
【図４】賞球に応じたセーフ信号のパターンの一例を示す図
【図５】１回の大当りにおける遊技情報の集計結果の一例を示す図
【図６】大当りの履歴情報の一例を示す図
【図７】遊技機別の区分結果の一例を示す図
【図８】機種別の区分結果の一例を示す図
【図９】大当り中処理の流れを模式的に示すフローチャート
【図１０】第２実施形態で対象とする遊技機の構成を模式的に示す図
【図１１】１回の大当りにおける遊技情報の集計結果の一例を示す図
【図１２】区分結果の一例を示す図
【発明を実施するための形態】
【００２３】
以下、本発明の複数の実施形態について図面を参照しながら説明する。尚、複数の実施形態において実質的に共通する部位には同一の符号を付し、詳細な説明は省略する。
（第１実施形態）
以下、第１実施形態による遊技情報管理装置について、図１から図９を参照しながら説明する。
図１は、本実施形態の遊技情報管理装置（後述する管理装置６）を適用した遊技場用システム１の全体構成を概略的に示している。遊技場用システム１が設けられている遊技場内には、複数の遊技機２が設置されている。遊技機２は所謂パチンコ遊技機であり、各遊技機２には遊技機装置３がそれぞれ付設されている。これら遊技機２及び遊技機装置３は、中継装置４に接続されている。この中継装置４は、ＬＡＮ５を介して遊技情報管理装置としての管理装置６に接続しており、遊技機２や遊技機装置３等の遊技台側から出力される各種の遊技信号や管理装置６から送信される各種の情報を受信する。管理装置６は、遊技場内の例えば事務所等に設置されており、出力手段としてのモニタ７等が接続されている。このような遊技場内には例えば数百台の遊技機２が所謂遊技島単位で並設されており、管理装置６の管理対象となっている。尚、図示は省略するが、遊技場内には、遊技者が獲得した遊技価値（例えば、所謂出玉）を計数するための計数装置や景品交換のためのＰＯＳ等も設置されている。
【００２４】
遊技機２は、遊技媒体としての玉（遊技価値。所謂パチンコ玉）を遊技盤面９に発射するためのハンドル１０、玉を入賞させるための普図入賞口１１、第１始動口１２、第２始動口１３、始動口ではない通常入賞口１４、大当り時に開放する大入賞口１５、玉の入賞に応じて表示図柄が変動する液晶表示部１６、玉が払出される上皿１７、及び上皿１７から溢れた玉を一時的に貯留する下玉受皿１８等を備えている。遊技機２は、第１始動口１２或いは第２始動口１３への玉の入賞（始動入賞）に応じて大当り抽選を行い、その抽選結果に基づき所謂特別図柄（特図）による図柄変動を液晶表示部１６にて実行及び報知する。そして、液晶表示部１６に停止表示された図柄が大当り図柄の場合に大当りを発生させる。
【００２５】
第１始動口１２は入賞率が変動しない入賞口（所謂ヘソ入賞口）となっており、第２始動口１３は普図入賞口１１への入賞に伴って行われる普図抽選の抽選結果により入賞率が変動する入賞口（所謂電チュー）となっている。具体的には、第２始動口１３は、普図抽選に当選した場合に入賞率が高い開放状態となる。この場合、普図１回の変動時間（抽選時間）は、通常状態では３０秒であり、所謂時短状態では３秒となっている。また、開放時間は、通常状態では０．３秒であり、時短状態では５秒となっている。即ち、時短状態では、通常状態と比較して普図の変動時間が短くなる一方、開放時間は長くなることで、第２始動口１３への入賞率が高くなる。これら各入賞口への入賞に応じて遊技者に払出（付与）される玉数が、遊技に応じて付与された遊技価値を示すセーフに相当し、発射された玉数が、遊技に応じて消費された遊技価値を示すアウトに相当する。尚、入賞により遊技機２から払出された玉はまず上皿１７に貯留され、上皿１７から溢れた玉が下玉受皿１８に一時的に貯留される。
【００２６】
始動入賞した場合には上記したように特図の図柄変動が開始されるが、その図柄変動中に新たに始動入賞が発生した場合には、所定の保留上限値（本実施形態では第１始動口１２及び第２始動口１３に対してそれぞれ４個ずつ）まで図柄変動を累積的に保留し、実行中の図柄変動の終了後に、保留している図柄変動が順次開始される。尚、保留している図柄変動数（保留数）が保留上限値である状態で始動入賞した場合には、その図柄変動は保留されない。
大入賞口１５は、大当りが発生すると対応するラウンド（Ｒ、単位遊技）数に応じた回数分だけ開放される。遊技機２の場合、１Ｒで大入賞口１５に玉が入賞する上限入賞数が１０個、大入賞口１５の上限開放時間が３０秒に設定されており、上限入賞数又は上限開放時間のいずれかが満たされた場合（第１終了条件又は第２終了条件が満たされた場合。詳細は後述）に１Ｒが終了する。大当り抽選の当選確率（大当り確率）は１／３６０で、大当りがその後確変状態（確変）となる大当り（確変大当り）となる割合である確変率は（通常状態、確変状態共に）６６．６％となっている。大当りが発生すると１５ラウンド（Ｒ）分だけ大入賞口１５を開放する。
【００２７】
また、確変中は大当り確率が１／３１に向上すると共に、第２始動口１３への入賞率が高くなる時短状態（時短）になる。尚、確変は次回大当りまで継続する為、大当り後に大当りでも確変でもない状態である通常遊技状態（通常状態）となる大当り（通常大当り）が発生するまで継続し、その後は所定数（本実施形態では１００回）の図柄変動を行うまで時短状態となり、その後に通常状態となる。
遊技機２の場合、大入賞口１５が遊技盤面９の右側部分に設けられていることから、大当り中には遊技者は大入賞口１５を狙うべく遊技盤面９の中央より右側へと玉が流下するような遊技である所謂右打ちを行う。この右打ちを行う場合には、玉の流下ルートに大入賞口１５以外の入賞口が殆ど配置されていないことから、大当り中は殆どの入賞が大入賞口１５への入賞となる。つまり、大当り中のセーフは、その殆どが大入賞口１５に入賞したことによるセーフとなる。
【００２８】
大当りに対応するラウンド数も大当り抽選と同様に抽選され、その振分率は、第１始動口１２に入賞した場合は４Ｒが５０％で１５Ｒが５０％となっている一方、第２始動口１３に入賞した場合は４Ｒが１０％で、１５Ｒが９０％となっている。また、上記した図柄変動の保留消化の優先順位は、第１始動口１２よりも第２始動口１３の方が高く設定されている。
以上は機種Ａの遊技機２の構成の一例であり、機種Ｂの遊技機２の場合、ラウンドの振分が４Ｒ：８Ｒ：１３Ｒで、大当り確率が１／３００である等、機種毎にその構成は異なる場合がある。
【００２９】
遊技機装置３は、動作状態等を表示するための状態ランプ２０、貨幣（紙幣も含む）を投入する貨幣投入口２１、各種の情報を表示するタッチパネル式の表示部２２、玉を遊技機２に払出す払出ノズル２３、玉の払出（貸出）を行うための払出釦２４、残高を記録した一般カード等を発行するための返却釦２５、一般カード（例えばＩＣカード）が発行される（或いは、一般カードを挿入する）カード挿入口２６等を備えている。尚、カード挿入口２６の奥方には一般カードをストックするためのストック機構が設けられている。
この遊技機装置３は、所謂貸出機としての機能を備えており、貨幣を受付けると（貨幣受付処理が行われると）、遊技機２及び遊技機装置３の双方に入金額が残高に加算されて表示されると共に、残高がある状態で遊技機２の払出釦２４が押下されると、例えば貸出１単位（例えば５００円）分の貸出玉（対価付与価値）が遊技機２に払出される（対価付与処理が行われる）。このとき、対価分が残高から引き落とされ、残高が更新される。また、貨幣としては複数回分の対価付与処理の対応分（例えば１００００円まで）を受付可能である。
【００３０】
また、遊技機装置３は、残高が残存する状態で遊技機２に設けられている返却釦（或いは遊技機装置３の返却釦２５）が押下されると、残高を特定可能な一般カードを発行する。尚、本実施形態では、説明の簡略化のために残高や持玉の一部を発行対象とする分割発行は不可としているが、可能としても良い。
この遊技機装置３は中継装置４との間で通信を行うことにより上記した貨幣受付処理や対価付与処理、残高や貸出玉数、入金額や貸出玉数や貸出玉の対価となる売上額、及び一般カードの受付や発行処理を特定可能であるが、これらをパルス信号（例えば入金１０００円毎に１パルス、売上１００円毎に１パルス等が出力される信号）にて特定しても良い。
このような構成の遊技機２側の装置からは、遊技の進行に伴って例えば以下に示すような遊技信号を出力する。
【００３１】
・アウト信号＝使用玉を回収するアウトＢＯＸ（図示省略）から出力される消費価値（アウト）を特定可能な信号（稼動信号）。消費玉（使用玉、打込玉、回収玉）１０玉に対して１パルスが出力されるので、アウト信号数×１０を使用媒体数（アウト）として特定する。尚、遊技機２から直接出力される信号でも良い。
・セーフ信号＝遊技機２から出力される入賞付与価値（セーフ。遊技に応じて付与された玉数）を特定可能な信号（遊技信号に相当する）。払出１０玉に対して１パルスが出力される（１ではない予め設定される単位付与価値（本実施形態では１０玉）が付与される毎に出力される）ので、セーフ信号数×１０をセーフとして特定する。尚、補給装置（図示省略）から出力される補給信号をセーフ信号としても良い。また、セーフ信号には玉を実際に払い出した際に出力される実セーフ信号と、入賞に応じて払出が予約された場合に出力される（遊技価値が付与される以前であっても入賞が特定されることで出力される）入賞セーフ信号とがあるが、入賞から出力までのタイムラグを極力省くため、後者の入賞セーフ信号を採用することが望ましい。このため、本実施形態では、入賞セーフ信号を採用している。
【００３２】
・始動信号＝遊技機２から出力される始動入賞により変動（作動）する液晶表示部１６（役物）におけるスタート（図柄変動、役物作動、始動単位遊技）を特定可能な信号。図柄変動確定時（図柄変動が終了した時）に出力されるので信号入力に応じて図柄変動を特定する。尚、各始動口に入賞したことを示す信号としても良い。
・大当り信号＝遊技機２から出力される大当り期間を特定可能な信号（遊技信号に相当する）。大当り中にレベル出力される状態信号なので大当り信号入力中を大当り中として特定する。
・特別状態信号＝遊技機２から出力される特別状態（甘中）を特定可能な信号。第２始動口１３の入賞率が向上する特別状態中（時短中）にレベル出力される状態信号なので、特別状態信号入力中を特別状態中として特定する。また、大当り信号と特別状態信号のいずれも入力していない期間を通常状態として特定する。
【００３３】
管理装置６（遊技情報管理装置。遊技情報特定手段、期間計時手段と、Ｒセーフ特定手段、第１終了推定手段、第２終了推定手段、再集計処理手段、大当り情報区分手段、出力手段に相当する）は、図示は省略するがＣＰＵ、ＲＯＭ及びＲＡＭ等で構成された制御部、ＨＤＤ等で構成された記憶部、及び上記した遊技信号等の送受信を行う入出力部等を備えている。管理装置６は、記憶部に記憶されている制御プログラムに従って作動し、入出力部に入力される遊技機２側からの遊技信号により特定される遊技情報を管理する。具体的には、管理装置６は、周知のように、遊技機２側から入力されるアウト信号に基づいてアウトを特定したり、セーフ信号に基づいてセーフを特定したりすること等により、出玉率や稼動率或いは売上額等の遊技情報を、遊技機２毎や機種毎、或いは遊技場全体等で区分して集計及び管理する。また、管理装置６は、周知の機種設定により、台番をグループ化して遊技機２や機種等に対応付けている。
【００３４】
次に、上記した管理装置６の作用について説明する。
まず、図２を参照しながら、管理装置６に入力される遊技信号（大当り信号、セーフ信号）、対象となる遊技機２における大入賞口１５の開閉状況、及び管理装置６におけるタイマの作動状況について説明する。但し、この図２では、遊技信号等のタイミングは説明の簡略化のために模式的に示されており、後述するように必ずしも実際の対応関係となっているわけではない。
大当り期間は、上記したように大当り信号が入力（図２の場合、ｏｎで大当り信号が入力）されている期間として特定され、その大当り期間中には、各ラウンドに対応して大入賞口１５が開放（図２の場合、ｏｎで開放）状態となる。図２の場合、大当り期間を構成する複数のラウンドの内、１ラウンド目（図２では、第１Ｒとして示す）〜３ラウンド目（図２では、第３Ｒとして示す）までの状況が示されており、第１Ｒにおける大入賞口１５の実際の開放時間（大当り中における経過期間に相当する）が２５秒、第２Ｒにおける大入賞口１５の実際の開放時間が１８秒、そして、第３Ｒにおける大入賞口１５の実際の開放時間が３０秒のようになっている。
【００３５】
さて、各ラウンドでは、大入賞口１５が開放されることにより大入賞口１５への入賞が発生し、払出玉数が単位付与価値に達する毎にセーフ信号が入力される。図２の場合、セーフ信号はＳ１〜Ｓｘｘのように示されており、各ラウンドにおける最初のセーフ信号がＳ１に対応する。具体的には、第１Ｒの場合、Ｓ１〜Ｓ１５の１５パルスのセーフ信号が入力されており、第２Ｒの場合、Ｓ１〜Ｓ１８までの１８パルスのセーフ信号が入力されており、第３Ｒの場合、Ｓ１〜Ｓ１２までの１２パルスのセーフ信号が入力されている。この場合、セーフ信号に基づくセーフ（ラウンド毎のセーフ。Ｒセーフ）は、第１Ｒの場合には１５０玉（＝１５パルス×１０玉）と推定され、そのセーフに対応する大入賞口１５への入賞数は、機種Ａ（大入賞口１５への入賞による賞球が１５玉）の遊技機２を想定すると１０個（１５０玉÷１５個）と推定される。同様に、第２Ｒの場合にはセーフは１８０玉で大入賞口１５への入賞数が１２個と推定され、第３Ｒの場合にはセーフは１２０玉で大入賞口１５への入賞数が８個と推定される。
【００３６】
ここで、Ｒタイマは、詳細は後述するが、大当りの開始と共に作動を開始するタイマであり、上限期間（機種Ａに対して３０秒）と基準範囲（機種Ａに対して１５０玉）とが設定されている。このＲタイマは、その作動時間が上限期間に達したこと、又は作動中のセーフが基準範囲に達したことのいずれかの場合に作動停止し、Ｒ遅延タイマ（本実施形態では２秒固定）が作動する。このＲ遅延タイマは、詳細は後述するが、上限期間と基準範囲とを次のラウンドに対応させるために初期化する再集計処理を遅延させるためのタイマである。尚、Ｒタイマは、Ｒ遅延タイマのタイムアップ後に再び作動を開始する。
図２の場合、第１Ｒの場合、実際のラウンドはセーフが上限入賞数（図２には「上限入賞」として示す）に達したことにより終了しており、Ｒタイマもラウンド毎のセーフであるＲセーフが基準範囲となることで作動を停止しており、その後、ラウンド間インターバル（ラウンド間の大入賞口１５の閉鎖期間）に対応するＲ遅延タイマが作動している。この場合、ラウンドは、上限期間内であって、且つ、セーフが基準範囲であるので、通常ラウンド（以下、通常Ｒとも称する）となる。このような、大入賞口１５への入賞数が上限入賞数に達することで成立するラウンド終了条件が、第１終了条件に相当する。
【００３７】
第２Ｒの場合、実際のラウンドは上限入賞により終了しているが、Ｒ遅延タイマの作動中にセーフ信号（Ｓ１６〜Ｓ１８）が入力されていることから、オーバーフロー（以下、ＯＦ(Over Flow)とも称する）も発生している。この第２Ｒのように、上限入賞によりＲタイマが作動を停止した後にセーフ信号が入力された場合、Ｒ遅延タイマの作動中であれば、そのセーフは第２Ｒのセーフとして集計される。このため、第２Ｒの場合、１８パルス分に相当する１８０玉がＲセーフとして集計されることになる。尚、一般的にセーフ信号がｏｎとなる期間（パルス幅）は５０〜１００ｍｓｅｃ程度で、その出力間隔も５０〜１００ｍｓｅｃ程度を少なくとも空けて出力されるので、Ｒ遅延タイマが２秒（２０００ｍｓｅｃ）であれば最大１０パルス程度のセーフ信号が入力可能であり、実際の対応関係であれば、第２Ｒのような４パルスのセーフ信号は、十分にＲ遅延タイマの作動時間内に入力可能なパルス数となる。
【００３８】
尚、ＯＦが発生するのは、上限入賞に達した後に大入賞口１５が閉鎖するまでのごく短期間に入賞があった場合であり、そのような短期間に大入賞口１５に入賞するのは数個程度（セーフ信号で言えば数パルス程度）であると想定されるため、換言すると、ＯＦに起因してＲ遅延タイマのタイムアップまでセーフ信号が連続して出力され続けるような状況は現実的には起こり難いと考えられるため、Ｒ遅延タイマを２秒に設定すれば十分にＯＦを特定可能となる。
第３Ｒの場合、実際のラウンドはフルオープン（以下、ＦＯ(Full Open)とも称する）により終了している。この場合、上限期間となることでＲタイマの作動が停止し、遅延タイマの作動中にセーフ信号の入力もなかったことから、Ｒタイマの開始時からのセーフが第３ＲのＲセーフとして特定される。このような、大入賞口１５の開放期間が上限開放期間に達することで成立するラウンド終了条件が、第２終了条件に相当する。
【００３９】
このように、ラウンド単位でＲセーフを特定するので、そのＲセーフを大入賞口１５の賞球数にて除する等すれば大入賞口１５への入賞数を特定可能である。このように、Ｒセーフを特定することで、第１Ｒのように通常Ｒであったのか、第２ＲのようにＯＦが発生したラウンド（ＯＦラウンド）であったのか、第３ＲのようにＦＯが発生したラウンド（ＦＯラウンド）であったのか等、ラウンド単位の入賞状況を特定可能となる。
このような集計、判定、特定等を行うために、管理装置６は、図３に示すように、各遊技機２に対する設定情報を記憶している。この設定情報には、図３（Ａ）のように機種Ａに対応するもの、或いは図３（Ｂ）のように機種Ｂに対応するもの等、遊技機２の機種毎に以下の項目が設定されている。
【００４０】
・基準範囲：１ＲにおけるセーフであるＲセーフに対する基準情報で、Ｒセーフがこの設定値（図３（Ａ）のような１５０個）、又は設定範囲（図３（Ｂ）のような１２０〜１３０個）となった場合にＲタイマの作動を停止させ、１Ｒが終了した旨を特定するための設定情報。
・上限期間：Ｒタイマの作動期間を示し、１Ｒにおける大入賞口１５の上限開放期間に対応した値が設定され、Ｒセーフが基準範囲に達しないままＲタイマがこの設定値となった場合に１Ｒが終了した旨を特定するための設定情報。上限期間に達したことに基づくラウンドの終了特定により、ＦＯ及びＦＯラウンドを特定する。
・遅延タイマ：Ｒ遅延タイマの作動期間を示し、ラウンドインターバル（大当り中のラウンド間の期間）に対応した値が設定され、このＲ遅延タイマの作動中にセーフがあった場合にＯＦの発生を特定し、そのラウンドをＯＦラウンドとして特定する。
【００４１】
・大入賞口賞球：大入賞口１５に入賞した場合の賞球数（１個の入賞に対して付与される玉数）。この大入賞口賞球に関しては、図４（Ａ）〜（Ｆ）に示すように、大入賞口１５への入賞数である大入賞数とＲセーフとの対応関係を示す設定基準入賞情報が予め設定されている。この設定基準入賞情報には、大入賞口賞球毎に（図４における各表の「入賞」と「セーフ１」とに挟まれる数値が対応する大入賞口賞球を示し、例えば、図４（Ａ）は１５個に対応する）、大入賞数（「入賞」：１〜１５個）と、セーフ信号により特定されるＲセーフ（セーフ１、セーフ２）とが予め算出されて設定されている。この設定情報とＲセーフとに基づいて、大入賞口１５への入賞数を特定する。尚、例えば図４（Ｂ）のように、セーフが例えば１９０の場合、入賞数が１３個（セーフ１の場合）、又は１４個（セーフ２の場合）のように複数の大入賞数に対応しているが特定されるが、いずれの大入賞数を採用するかは、後述する連続出力条件に基づいて判断される。尚、この設定基準入賞情報に依らず単純にＲセーフを大入賞口賞球にて除することで大入賞口１５への入賞数を算出しても勿論良い。
【００４２】
・適正Ｒ：対応する機種にて発生可能なラウンド数を示し、後述する大当り中処理（図９参照）にて特定したラウンド数がこの設定値のいずれかであれば正確にラウンド数を特定出来たとする一方、いずれでもなければ誤検出として集計対象から除外し、その旨を示す出力を行う。
・適正Ｔ１セーフ：適正Ｒに対応した全てのラウンドが上限入賞した場合の大当り中セーフ（Ｔ１セーフ）を示し、上限入賞数×大入賞口賞球数×適正Ｒに対応した値を設定する。実際のＴ１セーフがこの値未満であった大当りは少なくともＦＯしていると推測出来る。尚、セーフ信号が１０個単位で出力されることから、Ｔ１セーフと比較する際にはこの設定値の１の位を繰下げた値と比較する。
・代表Ｒ：適正Ｒの内、注目ラウンド（遊技場管理者や遊技者にとって関心の高い大当りのラウンド数）であり、後述する図６の場合には「第１範囲」に対応し（これ以外のラウンドは第２範囲）、後述する図７及び図８では「代表Ｒ」として、該当するラウンド数の大当りに関する情報が全体の集計結果から抽出して集計される。
【００４３】
次に、これらの集計等を行うために管理装置６にて実行される大当り中処理について図９の大当り中処理、及び図２のタイミングチャートを参照しながら説明する。尚、大当り処理中の各フラグは、初期値は０となっている。
管理装置６は、大当り中処理を実行しており、大当りフラグ（大当り信号が入力されると１となるフラグ）が０であるか（Ａ１）、大当り信号が入力されたか（Ａ２）を判定している。この状態で大当り信号が入力されると（Ａ２：ＹＥＳ）、大当りフラグを１とし（Ａ３）、Ｒタイマを作動開始させ（Ａ４）、ラウンドフラグを１とし（Ａ５）、新規データを作成する（Ａ６）。このステップＡ６では、図５に示す大当り個別情報（各大当りにおけるラウンド毎の遊技情報）が新規に作成される。
【００４４】
続いて、管理装置６は、大当りフラグが１になったことから（Ａ１：ＮＯ）、大当り信号の入力が終了したか（Ａ２１）、セーフ信号が入力したか（Ａ７）、ラウンドフラグが１であるので（Ａ１６：ＹＥＳ）Ｒタイマがタイムアップしたか（Ａ１７）を判定するようになる。この状態で、セーフ信号（図２の第１ＲのＳ１等参照）が入力されると（Ａ７：ＹＥＳ）、ラウンド終了フラグ（Ｒ遅延タイマがタイムアップしたときに１となるフラグ）は０であるので（Ａ８：ＮＯ）、Ｒセーフを加算し（Ａ１１）、ラウンドフラグが１であるので（Ａ１２：ＹＥＳ）、Ｒセーフが基準範囲に達したかを判定する（Ａ１４）。このとき、例えば図２の第１ＲのＳ１が入力された時点では、Ｒセーフが基準範囲に達していないので（Ａ１４：ＮＯ）、ステップＡ１６に移行して、次の判定を行う。
【００４５】
管理装置６は、例えば図２の第１ＲのＳ２が入力されると（Ａ７：ＹＥＳ、Ａ８：ＮＯ）、Ｒセーフを加算し（Ａ１１）、ラウンドフラグが１であり（Ａ１２：ＹＥＳ）、未だＲセーフが基準範囲であるので（Ａ１４：ＹＥＳ）、ステップＡ１６に移行して次の判定を行う。その後、セーフ信号の入力に応じて（Ａ７：ＹＥＳ、Ａ８：ＮＯ）、Ｒセーフの加算（Ａ１１。及びＡ１２：ＹＥＳ）、Ｒセーフが基準範囲であるかの判定（Ａ１４）、及びＲタイマがタイムアップしたかの判定（Ａ１６：ＹＥＳ、Ａ１７）を繰り返す。そして、例えば図２の第１ＲのＳ１５のセーフ信号が入力されると（Ａ７：ＹＥＳ、Ａ８：ＮＯ）、Ｒセーフを加算し（Ａ１１）、この時点でＲセーフが１５×１０＝１５０個となったことから、つまり、Ｒセーフが基準範囲に達した（第１終了条件が成立した）ことから（Ａ１４：ＹＥＳ）、Ｒタイマを作動停止させ（Ａ１５）、Ｒ遅延タイマを作動開始させ（Ａ１９）、ラウンドフラグを０とする（Ａ２０）。このように、管理装置６は、セーフ信号に基づいて第１終了条件が成立した旨を推定し、ラウンドの終了を特定している。
【００４６】
図２の第１Ｒの場合、Ｒ遅延タイマの作動中には、大当り信号が入力されており（Ａ１：ＮＯ、且つＡ２１：ＮＯ）、セーフ信号の入力がなく（Ａ７：ＮＯ）、ラウンドフラグが０であるので（Ａ１６：ＮＯ）、Ｒ遅延タイマがタイムアップしたかが判定される（Ａ２５）。そして、図２の第１Ｒのようにセーフ信号の入力がないままＲ遅延タイマがタイムアップすると（Ａ２５：ＹＥＳ）、Ｒタイマを再作動開始（再計時処理）させ（Ａ２６）、記憶領域（図５の大当り個別情報）を更新し（Ａ２７）、ラウンド終了フラグを１とする（Ａ２８）。このとき、ステップＡ２７では、図５の「Ｒ数」＝１のレコードに、Ｒセーフ（「セーフ」）、アウト、大入賞口１５への入賞数、及び第１Ｒの期間（「Ｒ期間」）が特定及び記憶されるとともに、ＯＦ、ＦＯが発生しておらず、Ｒセーフが基準範囲であるので、通常Ｒとして特定及び記憶される。このとき、Ｒセーフは、次のラウンドに対応させるために初期化（再集計処理）されている。
【００４７】
続いて、管理装置６は、図２のように第２Ｒが開始されてセーフ信号（図２の第２ＲのＳ１）が入力されると（Ａ７：ＹＥＳ）、ラウンド終了フラグが１であることから（Ａ８：ＹＥＳ）、新ラウンドを特定してレコード(図５の「Ｒ数」＝２のレコード）を作成し（Ａ９）、ラウンド終了フラグを０とし、ラウンドフラグを１として（Ａ１０）、Ｒセーフを加算する（Ａ１１）。つまり、ラウンド終了フラグが１である状態でセーフ信号を入力したか否かにより新たなラウンドが開始されたことを特定すると共に、新たなラウンドに対応させてＲセーフの集計を開始する。その後、第１Ｒと同様に、セーフ信号の入力に応じて（Ａ７：ＹＥＳ、Ａ８：ＮＯ）、Ｒセーフの加算（Ａ１１。及びＡ１２：ＹＥＳ）、Ｒセーフが基準範囲であるかの判定（Ａ１４）、及びＲタイマがタイムアップしたかの判定（Ａ１６：ＹＥＳ、Ａ１７）を繰り返す。
【００４８】
そして、管理装置６は、図２の第２ＲのＳ１５のセーフ信号が入力されると（Ａ７：ＹＥＳ、Ａ８：ＮＯ）、Ｒセーフを加算し（Ａ１１）、Ｒセーフが基準範囲に達したことから（Ａ１４：ＹＥＳ）、Ｒタイマを作動停止させ（Ａ１５）、Ｒ遅延タイマを作動開始させ（Ａ１９）、ラウンドフラグを０とする（Ａ２０）。この第２Ｒの場合、遅延タイマの作動中にさらにセーフ信号（Ｓ１６のセーフ信号）の入力があり（Ａ７：ＹＥＳ）、ラウンド終了フラグは０であるので（Ａ８：ＮＯ）、Ｒセーフを加算する（Ａ１１）。つまり、Ｒセーフが基準範囲に達した直後の遅延タイマの作動中にセーフ信号が入力された場合には、そのセーフは、直前のラウンド（この場合、第２Ｒ）のセーフとして集計される。また、ラウンドフラグが０の状態であることから（Ａ１２：ＮＯ）、ＯＦを特定する（Ａ１３）この場合、後述する「ＦＯ」特定後の遅延処理中にＲセーフが加算されても、Ｒセーフが設定基準情報を超過しない場合もあるので、「ＯＦ」を特定しない、若しくは設定基準情報を超過することを条件として「ＯＦ」を特定しても良い。尚、図２のＳ１７及びＳ１８のセーフ信号の入力に対しても、同様にＲセーフの加算及びＯＦの特定が行われる。
【００４９】
その後、管理装置６は、Ｒ遅延タイマがタイムアップすると（Ａ２５：ＹＥＳ）、Ｒタイマを再作動開始させ（Ａ２６）、記憶領域を更新し（Ａ２７）、ラウンド終了フラグを１とする（Ａ２８）。この場合、図５の「Ｒ数」＝２のレコードに、Ｒセーフ、アウト、大入賞口１５への入賞数、及び第２Ｒの期間、及びＯＦの発生（第２ＲがＯＦラウンドであること）が特定されたので「ＯＦ」が記憶される。そして、次の判定を行う。この場合、遅延処理中にＴ１セーフを特定する以外にも、Ｒセーフが設定基準情報を超過すれば（遅延処理中であるか否かを問わずに）「ＯＦ」を特定することもできる。このように、管理装置６は、少なくとも第２終了条件が成立した旨を推定した後の遅延処理中に（セーフ信号を入力して新たに）Ｔ１セーフが特定されたこと、及びＲセーフが設定基準情報を超過したことの少なくとも一方により、ＯＦが発生したとして、そのラウンドや大当りを区分している。
【００５０】
さて、図２の第３ＲのＳ１のセーフ信号が入力されると（Ａ７：ＹＥＳ）、ラウンド終了フラグが１であることから（Ａ８：ＹＥＳ）、新ラウンドを特定してレコード(図５の「Ｒ数」＝３のレコード）を作成し（Ａ９）、ラウンド終了フラグを０とし、ラウンドフラグを１として（Ａ１０）、Ｒセーフを加算することで（Ａ１１）、第３Ｒに対応したＲセーフの集計を開始する。その後、セーフ信号の入力に応じて（Ａ７：ＹＥＳ、Ａ８：ＮＯ）、Ｒセーフの加算（Ａ１１。及びＡ１２：ＹＥＳ）、Ｒセーフが基準範囲であるかの判定（Ａ１４）、及びＲタイマがタイムアップしたかの判定（Ａ１６：ＹＥＳ、Ａ１７）を繰り返す。
【００５１】
この第３Ｒの場合、図２に示すように、セーフ信号を１２パルス入力してＲセーフが１２０個となっているものの、その後にセーフ信号が入力されることなくＲタイマがタイムアップしている。つまり、第３Ｒでは、Ｒセーフが基準範囲に達しないまま、大入賞口１５の開放期間（経過期間）が上限開放期間（設定上限期間）に達している。この場合、管理装置６は、セーフ信号が入力されないまま（Ａ７：ＮＯ）、また、ラウンドフラグが１のまま（Ａ１６：ＹＥＳ）、Ｒタイマがタイムアップしたことから（Ａ１７：ＹＥＳ）、ＦＯを特定し（Ａ１８）、Ｒ遅延タイマの作動を開始させ（Ａ１９）、ラウンドフラグを０とする（Ａ２０）。そして、Ｒ遅延タイマがタイムアップすると（Ａ２５：ＹＥＳ）、Ｒタイマを再作動開始させ（Ａ２６）、記憶領域を更新し（Ａ２７）、ラウンド終了フラグを１とする（Ａ２８）。
【００５２】
つまり、管理装置６は、第１終了条件の成立が推定されることなく経過期間が設定上限期間に達した場合に、第２終了条件が成立したと推定し、ラウンドの終了を特定している。そして、図５の「Ｒ数」＝３のレコードに、Ｒセーフ、アウト、大入賞口１５への入賞数、及び第３Ｒの期間、及びＦＯの発生（第３ＲがＦＯラウンドであること）が特定されたので「ＦＯ」を記憶する。
続いて、管理装置６は、最終ラウンド（機種Ａの場合は１５Ｒ）まで、Ｒセーフの特定やラウンド状態の特定等を繰り返す。そして、大当りが終了すると、つまり、大当り信号の入力が終了すると（Ａ２１：ＹＥＳ）、大当りフラグを０とし（Ａ２２）、特定したＲ（ラウンド数＝図５のレコード数）が適正であるか、即ち、図３の「適正Ｒ」に一致するかを判定し（Ａ２３）、Ｒが適正であれば（Ａ２３：ＹＥＳ）、ステップＡ１に移行して次の大当りを待機する一方、適正でなければ（Ａ２３：ＮＯ）、その大当りを誤検知大当り（図４のＮＯ１０のレコード参照）として特定した後（Ａ２４）、ステップＡ１に移行する。
【００５３】
尚、フローチャート中には示していないが、管理装置６は、図４の同一Ｒセーフの場合に異なる大入賞数のいずれであるかを判定している。具体的には、図４に示す各パターンと特定したＲセーフとを照合することで、大入賞数を特定する。このとき、Ｒセーフが複数の大入賞数に対応する場合にはラウンドの最終セーフ信号と、その直前のセーフ信号との入力間隔によりいずれのパターンかを特定する。このため、管理装置は、セーフ信号入力後にセーフ間隔タイマ（例えば作動期間が７０ｍｓｅｃ）を作動開始させ、セーフ信号が連続出力条件を満たしているかも判定している（連続出力条件の判定については、後述する図８にて詳細を説明する）。
また、ラウンド終了フラグが１であってもＲタイマが作動することにより、最終ラウンド終了後にも新たにＲタイマが作動する。このため、Ｒタイマの作動回数とラウンド数とは一致はしないものの、最終ラウンド終了後のＲタイマの作動は基本的には意味を持たない作動であるので、実質的に両者は同じとなり、対応した数値として扱うことが出来る。このように、Ｒタイマの作動回数≒ラウンド数となる。
【００５４】
尚、上記したステップＡ８は大当りが継続しているかを判定するための判断ステップであり、大当り信号の入力終了前にセーフ信号を入力した場合には大当りが継続しているとして新たなラウンドを特定するためのものであるが、例えばアウト信号等の他の信号を入力した場合に判断するようにしても良く、更に所定数のセーフ（例えば３０個）が加算されることにより新たなラウンドを特定し、特定出来ない場合には、前ラウンドにＲセーフを移行して補正するようにしても良い。また、Ｒ遅延タイマの作動中に大当り信号の入力が終了する遊技機も想定出来るので、Ｒ遅延タイマのタイムアップをもって新たなラウンドを特定しても良い。
【００５５】
このように、管理装置６は、大当りが発生すると各ラウンドのＲセーフやラウンド状態（通常、ＯＦ、ＦＯ）等を特定し、大当りが終了すると、その大当りにおける遊技情報を図５に示すように「合計」、「Ｒ数」、「平均セーフ」、「平均期間」として特定する。尚、「合計」は、その大当りにおけるＲセーフの合計（Ｔ１セーフ）、アウトの合計、入賞数の合計、Ｒ期間の合計を示している。この場合、ＯＦやＦＯは文字により識別可能となっているものの、色付けする等により識別表示（区分して出力）してもよい。また、管理装置６は、この図５の大当り個別情報に基づいて、図６に示すような遊技機単位の大当り集計（所謂大当り履歴情報）、図７に示すような台番単位の遊技機別集計、及び図８に示すような機種単位での機種別集計等を再集計する。即ち、管理装置６は、第２終了条件が成立した旨が推定されたか否かに応じて、以下に説明するように、大当り及び当該大当りにおけるラウンドを区分している。
【００５６】
図６の場合、遊技機２毎に大当りの履歴（ＮＯ１〜ＮＯ１２のレコード）が集計されている。尚、「時刻」は大当りが発生した時刻を示し、「状態」は大当りが発生した時の遊技状態（通常状態（「通」）、または甘中（「甘」））を示し、「Ｓ」はスタート回数（前回の大当りから該当する大当りが発生するまでのスタート数）を示し、「Ｒ」はラウンド数、「通常」は通常ラウンド数、「ＯＦ」はＯＦラウンド数、「ＦＯ」はＦＯラウンドを示している。この場合、ＯＦ及びＦＯが発生しなかった通常大当りと、ＯＦが発生した大当り（ＯＦ大当り）と、ＦＯが発生した大当り（ＦＯ大当り）とが識別表示される（大当り情報が区分される）。尚、本実施形態では通常ラウンド、ＦＯラウンド、ＯＦラウンドのように区分しているが、前述のようにＦＯがパンクとして注目されている事情を鑑みて、ＦＯラウンドでないラウンドを、ＯＦの発生は問わずに通常ラウンドとして特定してもよい。また、大当りについても、ＦＯラウンドが発生しなかった大当りを、ＯＦの発生は問わずに通常大当りと特定しても良く、これらはＯＦラウンドやＯＦ大当りを特定する際のＦＯを特定することなく通常ラウンドや通常大当りを特定する場合にも適用出来る。
また、「第１範囲」は図２の「代表Ｒ」に対応する大当り、「第２範囲」はそれ以外の大当り、「全体」は全ての大当りをそれぞれ抽出対象とした集計値で、Ｓ、Ｔ１セーフは大当り１回当りの平均値と合計値とを示しているが、「回数」は対応する大当り数、「平均」は大当り１回当りのラウンド数、「合計」は対応する合計ラウンド数を示している。図６の場合、ＦＯやＯＦを区分して識別表示（図６ではハッチング）している。
【００５７】
「ＯＦ率」及び「ＦＯ率」は、それぞれ合計大当りに占める「ＯＦ」や「ＦＯ」があった大当りの割合であり、「ＯＦ（またはＦＯ）の「回数」÷Ｒの「回数」」で算出される。「ＯＦＲ率」及び「ＦＯＲ率」は、それぞれ合計ラウンドに占める「ＯＦ」や「ＦＯ」が発生したラウンドの割合であり、「ＯＦ（又はＦＯ）の「合計」÷Ｒの「合計」」で算出される。尚、第１範囲は４Ｒの大当り（機種Ａの場合）の合計値を示し、第２範囲は１５Ｒの大当り（機種Ａの場合）の合計値を示し、合計は、全ての大当りの合計値を示しており、それぞれに対して、ＯＦ率、ＦＯ率、ＯＦＲ率、ＦＯＲ率が算出されている。尚、第２範囲として第１範囲同様に指定したラウンドの情報を集計しても良いし、同様の集計として第３範囲にて他の指定したラウンドの情報を集計しても良い。
これら「ＯＦ」及び「ＦＯ」は、０以外の場合、即ち、ＯＦやＦＯが発生したラウンドがある大当りについては、それぞれ区分して識別出力しており、更にＴ１セーフに最も近似する適正Ｔ１セーフをＴ１セーフが上回ったか（例えばレコードＮＯ９、ＮＯ１２）、或いは下回ったか（例えばレコードＮＯ７）により、区分して識別出力している。
【００５８】
また、レコードＮＯ１０のように適正Ｒではないラウンドが特定された大当りである誤検知大当りは、集計対象から除外されている。このとき、誤検知大当りに該当するレコード（ＮＯ１０）は、他の大当りと識別可能に出力されている。ただし、除外された大当りは、「誤検知」として別枠で集計されており、全体の大当り回数の内、誤検知大当りが占める割合（異常大当り数÷全体大当り数）が「誤検知率」として集計されている。尚、誤検知大当りはＴ１セーフ等の集計には影響を及ぼさないので、それらについては誤検知大当りを集計対象から除外しないようにしても良い。
【００５９】
図７は、図６の大当り集計を遊技機２単位（台番単位）で集計した例であり、図８は、図６の大当り集計を遊技機２の機種単位で集計した例である。各項目の意味は図６と共通するが、「代表Ｒ」は、図２の「代表Ｒ」即ち図６の「第１範囲」に対応しており、「上限セーフ」は、図２の「適正Ｔ１セーフ」のうち「代表Ｒ」に対応している。尚、図７や図８では図６の異常大当りやＯFＲ率等を示していないが、同様に集計対象としても勿論良い。また、図５に基づいて図６〜図８を集計（特定）したが、図５を用いず、図７〜図８のような集計値をその都度直接的に集計する等、図６〜図８の集計方法はどのようにしても良い。この場合、図７や図８の集計を行うために、台番をグループ化して機種と対応付ける所謂機種設定は管理装置６にて勿論行われている。また、入賞数については、例えば機種Ｂのような大入賞口賞球数の場合、ラウンドの最終のセーフ信号により特定されるセーフとして、図４の「セーフ１」と「セーフ２」の２パターンが想定されるので、いずれを採用するかを特定する必要があるが、それを最終のセーフ信号と、その直前のセーフ信号との入力間隔により特定すれば良い。
【００６０】
例えば、大入賞口賞球数が１４個（図４（Ｂ）が対応）でＲセーフが１２０の場合、ラウンド開始時の未出力分の１桁目のセーフが８〜９であれば８個入賞（８×１４＝１１２なので１２０〜１２１が信号出力対象）、０〜３であれば９個入賞（９×１４＝１２６なので１２６〜１２９が信号出力対象）の２パターンとなるが（１桁目が４〜７であればＲセーフは８個入賞＝１１０（１１６〜１１９が信号出力対象）又は９個入賞＝１３０（１３０〜１３３が信号出力対象）にしかならない）、８個入賞の場合は最後の入賞（１４個の払出）により２パルス（１１０個目及び１２０個目となるセーフ信号）が出力される一方、９個入賞の場合は１パルスが出力される（８個入賞した時点で１１０個目となるセーフ信号が出力済みとなり、１２０個目となるセーフ信号のみが１パルス出力される）ので、セーフ信号の連続出力に掛かる出力間隔（５０ｍｓｅｃ）に対応した設定値（７０ｍｓｅｃ）を予め設定しておき、その信号間の経過期間が設定期間未満の範囲に属すれば連続出力として入賞数を特定すれば良い。尚、図４のいずれも「セーフ１」が非連続出力、「セーフ２」が連続出力に対応している。また、この機種Ｂのように基準範囲に２通りの基準値が想定される場合、「セーフ１」及び「セーフ２」に基づいて上限入賞となったか否かを特定しても勿論良い。
【００６１】
以上説明した管理装置６によれば、次のような効果を奏する。
大当り中に第１終了条件が成立したか（上限入賞分のセーフがあったか）、又は第２終了条件が成立したか（大入賞口１５の開放期間が上限開放時間に達したか）を推定し、第２終了条件が成立した旨が推定されたか否かに応じて、大当り及びその大当りにおけるラウンドを区分して出力する（本実施形態では、識別可能に表示している）。これにより、第２終了条件が成立した旨が推定された場合にはフルオープン（ＦＯ）が発生したと特定出来るため、たとえ遊技機２側からラウンドの状態を示すラウンド信号が出力されず、更にオーバーフローによってＴ１セーフが相殺されるような状況であったとしても、遊技機２以外の装置にてＦＯを検出することが出来、ＦＯの管理精度を高めることが出来る。
【００６２】
また、遅延処理中にＴ１セーフが特定されたか否か（大当りが終了したか否か）、及びＲセーフが設定基準情報を超過したかにより大当り情報を区分するので、大当り中のラウンドの種別（通常ラウンドか、ＯＦラウンドか）を判別出来る。即ち、ＯＦの発生を検出（推定）出来ることから、ＯＦの管理精度を高めることが可能となる。また、遅延処理を実行することで、ラウンドインターバルの存在を特に考慮することなく、設定上限情報や設定基準情報を設定可能となる。
通常大当りとＦＯ（又はＯＦ）大当りとを区分すること、及び通常ラウンドとＦＯ（又はＯＦ）ラウンドとを区分することにより大当り情報を区分し、全大当り数、又は通常大当りの発生数とＦＯ（又はＯＦ）大当りの発生数との割合を示すＦＯ（又はＯＦ）率情報、ラウンド数、又は通常ラウンドの発生数とＦＯ（又はＯＦ）ラウンドの発生数との割合を示すＦＯＲ（又はＯＦＲ）率情報、ＦＯ（又はＯＦ）大当りの発生数を示すＦＯ（又はＯＦ）大当り情報、及びＦＯ（又はＯＦ）ラウンドの発生数を示すＦＯＲ（又はＯＦＲ）情報を区分結果として出力するので、より一層、遊技情報の管理精度を高めることが出来る。
【００６３】
Ｒセーフを設定基準入賞情報と比較することにより、そのＲセーフに対応した大入賞数を特定している。これにより、Ｒセーフを単に大入賞口賞球数にて除するだけでは端数によって誤差が生じ得る場合であっても、そのような誤差を極力排除可能となる。また、セーフ信号として遊技価値の付与以前に出力される（入賞）セーフ信号を採用することで、仮に払出が滞っていても、より正確にＴ１セーフを特定し得るようになる。
１０玉のセーフに対応して出力されるセーフ信号により特定されるＲセーフに対応する大入賞数が複数ある場合にセーフ信号の入力間隔が連続出力条件を満たしているか否かによりいずれの大入賞数が対応しているかを特定するので、端数の推測が可能となり、第１終了条件の成立及び大入賞数をより正確に特定し得るようになる。
【００６４】
再計時処理が行われた後にセーフ信号を入力した場合に新たなラウンドとなった旨を特定し、その特定結果を出力するので、従来のようなＴ１セーフのみに基づいてラウンドを特定する構成に比べて、ラウンド数の特定やラウンド数に応じた大当りの種類の特定等をより正確に行い得る。この場合、単に再計時処理が行われたことに基づいて新たなラウンドを判定してしまうと、大当り信号の入力が終了する前に再計時処理が行われる可能性があることから誤判定する虞があるが、セーフ信号等の入力を条件に加えることで、そのような虞を低減することが出来る。
また、ＯＦを精度良く特定出来るため、ＯＦの発生を遊技者に積極的に報知（例えば、遊技機装置３を遊技情報管理装置として採用し、遊技者向けに報知）することも出来るようになり、遊技者の満足度を高めることも可能となる。
【００６５】
（第２実施形態）
以下、第２実施形態による遊技情報管理装置について、図１０から図１２を参照しながら説明する。
図１０に示すように、第２実施形態で想定する遊技機２は、大入賞口１５が遊技盤面９の中央付近に設けられている。このため、大当り時には、右打ちされないことから、大入賞口１５以外の入賞口に対しても入賞（以下、便宜的に他入賞と称する）が発生する可能性がある。そこで、本実施形態の管理装置６は、そのような他入賞分を考慮した上で、ＯＦ、ＦＯ等を特定している。
管理装置６は、第１実施形態と同様に図９に示す大当り中処理を実行しており、図１１に示すようにラウンド毎にＲセーフ等を特定している。このとき、管理装置６は、新たに、「除外セーフ」と「純セーフ」とを集計対象としてラウンド毎に記憶している。ここで、除外セーフは、大入賞口１５以外の入賞口への入賞分のセーフを示し、純セーフは、Ｒセーフから除外セーフを除いたセーフを示している。そして、本実施形態では、管理装置６は、第１実施形態のＲセーフに代えて、純セーフ（尚、純セーフも特許請求の範囲に記載したＲセーフに相当する）に基づいて、上限入賞数に達したかを判定する。
【００６６】
管理装置６は、通常状態における出玉率である所謂ベースに対応する設定値（例えば２０％）を予め設定し、その設定値とラウンド毎のアウトとに基づいて、除外セーフを特定して純セーフを求めている。即ち、大当り時と通常状態とにおける遊技の違いは、大入賞口１５が開放状態にあるか否かが異なるだけで他は同じである。つまり、大当り時に大入賞口１５が開放状態になったとしても、その大入賞口１５には他の入賞口に入賞しなかった玉しか入賞しないことから、大入賞口１５が開放状態であることを除けば、通常状態と同様のセーフを得ると想定される。そのため、他入賞分のセーフと大入賞口１５の入賞分のセーフ（大入賞セーフ）の合計値がＲセーフになり、他入賞分のセーフをＲセーフから除外すれば大入賞セーフが求められると仮定して純セーフをＲセーフとして採用している。
【００６７】
具体的には、図９に示す各処理においてＲセーフとして純セーフを採用する。つまり、セーフ信号入力時にアウトから特定される除外セーフをＲセーフから除外して純セーフを特定し、その純セーフが基準範囲に達したか否かにより上限入賞数となったか否かを判定し、ＦＯやＯＦを判定する。この場合、他入賞は賞球が少なく上限開放期間と１０個単位で出力されるセーフ信号とを考慮すると、ＦＯの際しか他入賞により増加するセーフ信号はほとんどないと想定されるため、純セーフの１の位を切上げて第１実施形態と同様に判定処理を行うことが望ましい。
そして、図１１に示すように各大当りの遊技情報を第１実施形態と同様に集計してＦＯ、ＯＦ等に応じて区分すると共に、それに基づいて図１２に示すように各大当りにおけるＲ数、平均セーフ、平均純セーフ、平均時間等を集計する。尚、第１実施形態のようにＦＯ率等を集計したり、図７、図８等のように、台番単位や機種単位で集計したりしても勿論良い。
【００６８】
このように、本実施形態の管理装置６によれば、大当り中に通常状態と同程度の他入賞が見込まれる遊技機２の遊技情報を管理対象としても、第１実施形態と同様に、大当り中のラウンドの種別を判別出来ることから、遊技情報の管理精度を高めることが出来る。
尚、第２実施形態においては、ベースに代えて始動口の賞球数を別途設定し、始動口への入賞を示す始動信号を入力することで、始動口への賞球数を別途設定し、始動入賞数×賞球数を除外セーフとして純セーフを特定しても良いし、更にアウトに対する始動口以外の他入賞による出玉率の増加分（例えば２％等）を別途設定して除外セーフに加えても良い。また、ベースを含め、これらの設定値は予め設定すれば経験則による操作入力値を採用しても、過去の遊技情報の集計値を採用してもいずれを設定しても良い。
【００６９】
また、対象となる遊技機２によって第１実施形態又は第２実施形態のいずれの構成とするかを機種単位又は台単位で設定することが望ましいが、そもそも他入賞によるセーフは少ないことからＲセーフに影響を与える虞が小さいので、図１０に示すような遊技機２であっても、純セーフを採用せずに第１実施形態と同様の処理を行う構成としても良い。また、上記演算によらずアウトが予め設定される設定値に達した（例えばアウトが５０個増える）毎にＲセーフを減算（例えば１０個減算）する構成としても良いし、Ｔ１セーフと他入賞分のセーフとの大当り開始時からの累計値を管理し、再集計処理として前ラウンドまでの特定分を差引いた値を純セーフ（例えば、累計Ｔ１セーフ−（前ラウンドまでのＴ１セーフ＋前ラウンドまでの他入賞分のセーフ）にて特定する等）の初期値としても良く、他入賞分のセーフを特定する遊技情報や純セーフをどのような特定方法にて特定しても良いし、この場合、再集計処理をラウンド最初のセーフ信号の入力時に行うことも出来るので、再計時処理と再集計処理とは必ずしも同時に行わなくても良い。
【００７０】
（その他の実施形態）
本発明は、上記した一実施形態にて例示したものに限定されることなく、次のように変形又は拡張することが出来る。
ＯＦやＦＯ等のラウンドや大当りの種類を特定するだけでなく、大入賞数を特定すると共にＯＦした入賞数も特定したが、大当りやラウンドのいずれか一方の種類を特定するだけの構成や、ＯＦ又はＦＯのいずれか一方のみを特定する構成としても良い。また、ＦＯ（又はＯＦ）したラウンド数と大当り回数の双方を集計対象としたがいずれか一方のみを集計対象としても良い。このように変形例を含む例示した構成をどのように組み合わせても良い。また、一部のみ採用する場合も含み、どのような構成とするかを設定操作により変更しても良い。
ＦＯ率、ＯＦ率、ＦＯR率、ＯＦR率として全大当りや全ラウンドに占める割合を例示したが、通常大当りや通常ラウンドに対する割合をＦＯ率等としても良い。また、割合としては比等を採用したり、例示した分母と分子とを入れ替えた値を採用したりしても良い。
【００７１】
また、Ｒタイマの作動期間が第１基準期間(例えば２０秒）以上、或いは第２基準期間（例えば１０秒）未満であるラウンドの発生回数や、Ｒセーフが第１基準値（例えば１８０個）以上、或いは第２基準値（例えば１２０個）未満であるラウンドの発生回数を特定し、管理対象としても良い。
図３等の各設定は遊技場管理者が任意に設定しても良いし、予め管理装置６の製造メーカ等にて設定しても、外部（例えばチェーン店本部等）の管理サーバから設定情報をダウンロードして設定しても良い。
大当り信号の出力開始がラウンドの開始、即ち、大入賞口１５の開放と同期して行われる遊技機２を例示したが、大入賞口１５の開放が大当り信号よりも遅延して行われる遊技機も存在するので、その遅延分の開始遅延タイマ（例えば、作動期間が５秒）を予め設定し、大当り信号の出力開始に応じてその開始遅延タイマを作動開始させ、そのタイムアップ後にＲタイマを作動開始させて各実施形態にて例示したＲセーフの特定等の処理を実行させる構成としても良い。即ち、大当りが開始してから予め設定される開始遅延期間分、大当り中における経過期間の計時を遅延させても良い。この場合、セーフの特定により遅延を終了しても良い。
【００７２】
Ｒタイマ作動後にＲ遅延タイマを作動させたが、ＲタイマとしてＲ遅延タイマを含めた値を設定して、大凡の判定を行う様にしても良いし、第１終了条件が成立した場合のみ遅延処理を行っても良い。
ＲタイマやＲ遅延タイマ等の作動による計時を例示したが、例えば開始時刻と現在時刻とを比較することで経過期間を計時する等、必ずしもタイマを作動させなくとも計時は可能である。
Ｒセーフ等の再集計として新たなレコードへと記憶対象を移動させることを例示したが、履歴情報を管理することなく新たなラウンド特定時等に初期化するような構成としても良い。
連続出力条件として基準入力間隔の範囲を設定したが、基準入力間隔の値、そのものを設定する等しても良い。また、設定基準範囲や設定基準入賞情報等の他の基準情報についても範囲と値、いずれを設定しても良い。また、設定基準情報を超過したか否かの判定として、設定基準範囲や値を直接設定対象とし、その範囲や値を直接的に超過したかを判定することを例示したが、例えばＯＦ範囲を別途設定し、そのＯＦ範囲にＲセーフが達した場合に設定基準情報を超過した旨を判定する等、間接的に設定基準情報を超過したか否かを判定しても良い。
【００７３】
図７等の集計例として営業日１日を例示したが、複数の営業日が含まれる営業期間を任意に設定して、その期間における遊技情報を集計対象として抽出した上で集計を行っても良く、この場合、平均情報は営業日１日当りの１台当りの平均値とすることが望ましい。また、期間を指定せず帳票を出力することで、予め設定される営業日（出力日当日）を特定しても良い。
例示した全ての遊技情報は入力した信号により直接的に特定しても演算式を利用して間接的に特定しても良い。また、セーフ信号等として１０玉１パルスを例示したが１玉１パルス等のセーフ信号等に本案を採用しても良く、この場合、更に精度が高くなる。更に遊技信号としてパルス信号を例示したがシリアル通信等による信号入力としても良い。
各実施形態にて示して設定値等における数値、桁数、項目等は例示であり、どのような数値を採用しても良い。また、識別出力についても例示した以外に判定毎に異なる着色、或いは点滅表示等、どのような出力態様としても良く、出力としては印字、表示出力が少なくとも想定される。
【００７４】
対象となる遊技機としては遊技媒体をデータのみで管理する所謂封入式等の例示したパチンコ遊技機以外のパチンコ遊技機等も採用できる。尚、所謂封入式を考慮して遊技媒体は必要に応じて遊技価値と表現する。
管理装置６が行う処理の一部を遊技機装置３或いは中継装置４等にて行っても良い。また、遊技情報管理装置として管理装置６、即ち所謂データ管理装置を例示したが、実施形態でも一部説明したように、遊技機装置３や所謂呼出ランプ等で全ての処理等を行い（又は、管理装置６にて行った処理結果を遊技機装置３や呼出ランプ等に通知し）、遊技者向けにラウンド数や大当りの種類等を表示する構成としても良い。
【符号の説明】
【００７５】
図面中、２は遊技機、６は管理装置（遊技情報管理装置、遊技情報管理装置。遊技情報特定手段、期間計時手段と、Ｒセーフ特定手段、第１終了推定手段、第２終了推定手段、再集計処理手段、大当り情報区分手段、出力手段）、７はモニタ（出力手段）、９は遊技盤面、１５は大入賞口を示す。
【図１】
2014226203.tif 000003
【図２】
2014226203.tif 000004
【図３】
2014226203.tif 000005
【図４】
2014226203.tif 000006
【図５】
2014226203.tif 000007
【図６】
2014226203.tif 000008
【図７】
2014226203.tif 000009
【図８】
2014226203.tif 000010
【図９】
2014226203.tif 000011
【図１０】
2014226203.tif 000012
【図１１】
2014226203.tif 000013
【図１２】
2014226203.tif 000014